(57)【要約】  実施の形態は、コンピュータ又は他の電子装置における空気の流れを案内する流通案内フードを提案し、流通案内フードは、複数の個別的なパーツにより形成され、第１の流通案内要素及び少なくとも１つの第２の流通案内要素を有し、第１の流通案内要素は、平坦な第１の材料により形成され、流れの流通を案内するように機能し、少なくとも１つの第２の流通案内要素は、第１の材料とは異なる第２の材料により形成され、流れの流通を案内するように機能し、及び前記第１の流通案内要素に設けられている。
2014531136.tif 000002
【特許請求の範囲】
【請求項１】
コンピュータ又は他の電子装置における空気の流れを案内する流通案内フードであって、複数の個別的なパーツにより形成され、第１の流通案内要素及び少なくとも１つの第２の流通案内要素を有し、
前記第１の流通案内要素は、平坦な第１の材料により形成され、前記流れの流通を案内するように機能し、
前記少なくとも１つの第２の流通案内要素は、前記第１の材料とは異なる第２の材料により形成され、前記流れの流通を案内するように機能し、及び前記第１の流通案内要素に設けられている、流通案内フード。  
【請求項２】
前記第２の流通案内要素は、発泡プラスチック材料による軽量材料で形成されている、請求項１に記載の流通案内フード。
【請求項３】
前記第２の流通案内要素は、平坦な表面により支配的に規定されるように、切断、パンチ又は他の加工方式により形成される、請求項１又は２に記載の流通案内フード。
【請求項４】
前記第２の流通案内要素の各々は１つ以上の平坦な表面を有し、前記１つ以上の平坦部の全面が前記第１の流通案内要素に接着により取り付けられている、請求項１〜３のうち何れか１項に記載の流通案内フード。
【請求項５】
前記第１の流通案内要素の平坦な第１の材料は、複数の平坦なセグメントを形成するように、折り畳み可能、折り曲げ可能又は変形可能である、請求項１〜４のうち何れか１項に記載の流通案内フード。
【請求項６】
前記第１の流通案内要素の平坦な第１の材料は、プラスチックシート、金属板又は厚紙である、請求項１〜５のうち何れか１項に記載の流通案内フード。
【請求項７】
前記第１の流通案内要素はパンチ加工により形成されたパーツである、請求項１〜６のうち何れか１項に記載の流通案内フード。
【請求項８】
前記第１の流通案内要素は、複数の平坦なセグメントに分割されるように形成される、請求項１〜７のうち何れか１項に記載の流通案内フード。
【請求項９】
前記第１の流通案内要素の異なる平坦なセグメントが、異なる方向を向いており、屈曲部、折り畳み部、穿孔若しくはパンチにより又は直線状の縁部により、互いに区切られている、請求項１〜８のうち何れか１項に記載の流通案内フード。
【請求項１０】
前記第１の流通案内要素は、第１の表面においてメイン流通路を規定するように形成され、
前記少なくとも１つの第２の流通案内要素は、前記第１の流通案内要素の前記第１の表面に取り付けられている、請求項１〜９のうち何れか１項に記載の流通案内フード。
【請求項１１】
前記少なくとも１つの第２の流通案内要素は、メイン流通路を複数のパート流通路に制限、局所的に規定又は分割するように、前記第１の流通案内要素のうちの同じ面に設けられている、請求項１〜１０のうち何れか１項に記載の流通案内フード。
【請求項１２】
前記第２の流通案内要素の各々は、専ら平坦な表面で規定されるブロックとして、立体的な材料から切断又は整形されている、請求項２〜１１のうち何れか１項に記載の流通案内フード。
【請求項１３】
請求項１〜１２のうち何れか１項に記載の流通案内フードを有する電子装置。
【発明の詳細な説明】
【技術分野】
【０００１】
開示される実施の形態は、コンピュータその他の電子装置内での空気の流れを案内する流通案内フード等に関連する。
【背景技術】
【０００２】
コンピュータその他の電子装置は、熱を発生する電力消費電子素子を含んでいるので、冷却する必要がある。過剰に高い動作温度は、例えば、マイクロプロセッサやメモリチップの信頼性を危険にさらし、それらのサービス寿命を短くしてしまうこと等が懸念される。
【発明の概要】
【発明が解決しようとする課題】
【０００３】
従来、冷却は送風機や放熱構造を用いて行われ、例えば、冷却フィン、空気案内フード、小型熱伝導金属構造(compact  heat-conductive  metal  structure)等を個々のチップの直近に設けている。空気案内フードは空気の流れを空間的に制限する成形部材であり、これにより、冷却されるべき素子の方から出る空気の流出を案内するように、或いは冷却されるべき素子の方に入る空気の流入を案内するように、より緻密な方法で空気の流れを制御する。
【０００４】
場合によっては、最適化されたエアダクト又は空気孔は非常に複雑な幾何学形状になることに起因して、空気を案内する機能を発揮するための要素又は部材は、通常、プラスチック材料による小型の射出成形された部材のように形成され、成形又は整形は特殊なプラスチック処理ツール(例えば、モールド部材等)を用いて実行される。これは、1個の空気案内フードを形成し、その空気案内フードは、コンピュータ内部での所望の風のパターン及びその幾何学形状に特化して形成された空気案内部をもたらす。
【０００５】
しかしながら、コンピュータの内部構造がますます複雑化するにつれて、及び/又は所望の風のパターン(空気が流れるパターン)がますます緻密になるにつれて、そのような従来の流通案内フードを製造することは過剰に高価となってしまうことに加えて過剰に時間を要してしまうことが懸念される。
【０００６】
一側面による実施の形態の課題は、性能を実質的に落とすことなく安価に製造することが可能な流通案内フードを提供することである。
【課題を解決するための手段】
【０００７】
一側面による流通案内フードは、
コンピュータ又は他の電子装置における空気の流れを案内する流通案内フードであって、複数の個別的なパーツにより形成され、第１の流通案内要素及び少なくとも１つの第２の流通案内要素を有し、
前記第１の流通案内要素は、平坦な第１の材料により形成され、前記流れの流通を案内するように機能し、
前記少なくとも１つの第２の流通案内要素は、前記第１の材料とは異なる第２の材料により形成され、前記流れの流通を案内するように機能し、及び前記第１の流通案内要素に設けられている、流通案内フードである。  
【図面の簡単な説明】
【０００８】
【図１】流体案内フードの実施の形態を示す図。
【図２】流体案内フードが内部に設けられているコンピュータを示す図。
【発明を実施するための形態】
【０００９】
＜実施の形態の概要＞
上記の課題は出願時の特許請求の範囲に記載される流通案内フード等により達成される。本発明によれば、1個に形成された部品として製造するのではなく、流通案内フードは、異なる材料で形成された複数の部分(又はパーツ)の集まりとして製造される。実施の形態においては、例えば金属板のような第1の平坦な材料が使用され、これは整形された後に(整形は、スタンプ又はプレス工程、折り畳み工程及び/又は折り曲げ工程等により行われてもよい)、大まかな大凡の流れパターン又は流れの境界をもたらす。第1の流通案内要素は、好ましくは、2つの2次元領域をなすようにパンチ工程、折り畳み工程又は折り曲げ工程により形成され、2つの2次元領域の各々は平坦で直線的な縁(又は辺)を有する。流通パターンを細かく制御するための第2の材料で形成された別の整形された要素は、特に、そのような第1の整形された要素の上に簡易に設けられることが可能である。
【００１０】
＜実施の形態の詳細な説明＞
以下、図面を用いて例示的な実施の形態を説明する。
【００１１】
図1は、コンピュータ又は他の電子装置の内部で空気の流れを案内する流通案内フード10の一例を斜視図により示している。流通案内フード10は複数の個別的な部分(又はパーツ)により形成されている。メイン流通路7(主要な流れの経路)を提供する第1の流通案内要素1は、平坦な第1の材料11から形成され、平坦な第1の材料は例えば金属板、厚紙又はプラスチック材料等により形成されていてもよい。メイン流通路7は図1の斜視図において左側から右側へ流通案内フード10を通るように延びており；メイン流通路7は第1の流通案内要素1により少なくとも1つの方向(例えば、下向きの方向)に対して限定される。すなわち、第1の流通案内要素1は下向きの方向に対する境界を形成する。別の方向(例えば、上向きの方向)に対してもメイン流通路7はコンピュータ内部の別の要素により限定されてもよいが(別の要素が)、必須ではない。
【００１２】
第1の流通案内要素1は、好ましくは複数の直線状の縁部4に沿うように、折り畳み工程、パンチ加工工程、折り曲げ工程又はその他の工程により形成され、複数の平坦部(すなわち、平坦なセグメント3)を形成することが好ましい。第1の流通案内要素1は、簡易な方法で所望の形状に形成することが可能であり、以後、特に簡易な方法で更に処理されることが可能である。このため、1つ以上の第2の流通案内要素2；2a、2bが設けられ、これらは流れのパターン(又は空気の流れ方)を微調整するように機能する。例えば、図1はそのような2つの流体案内要素2a、2bを示している。これらは、或る体積を占める材料であることが好ましい第2の材料12により形成され、そのような材料は、例えば、小さな塊状材料又は発泡材料等である。特に、発泡材料が有用であるのは、それが、材料を大量に消費することなく、例えばカット又は切断のような簡易な方法で整形できるからである。図1に示す特定の実施の形態では、第1の流通案内要素1が平坦部又は平坦な部材により専ら又は支配的に規定されており、この実施の形態は第2の流通案内要素2との組み合わせにより特に優れた利点を有し、第2の流通案内要素2は、特に簡易な方法で幾何学的形状を形成することが可能であり、特に簡易な方法で第1の流通案内要素1に結合可能であり、特に簡易な場合においては、特定の第2の流通案内要素2の1つ以上の平坦表面部6の全面を接着剤により第1の流通案内要素1の平坦セグメント3に結合することが可能である。例えば、第1の流通案内要素1の内側に接着剤で取り付けられた第2の流通案内要素2；2a、2bは、例えばメイン流通路7を、複数のパート流通路(又は複数のサブ流通路)8；8a、8bに制限する、局所的に制限する、仕向ける又は分割することを可能にする。複数の第2の流通案内要素が、互いに結合されてもよいし、或いは別の形式で互いに結合されてもよい。そのような形態によらず、平坦な材料で形成される第1の流通案内要素1は、第2の流体案内要素2により更に形状が整えられるメイン流通路7を提供する。従って、第1の流通案内要素1及び第2の流通案内要素2；2a、2bの双方により、空気又はその他の気体状の媒質又は媒体の実際の通路が提供される。全ての第2の流通案内要素2は、第1の流通案内要素1を形成している平坦な材料部11の同じ面上に設けられていることが好ましく；第2の流通案内要素2とともに提供される第1の流通案内要素1の表面5は、流通路を包囲する又は部分的に包囲する流通案内要素の内側をなす。
【００１３】
本願で説明される流通案内構造又は流通案内フード10は、例えば、冷気で冷やされるべきコンピュータの1つ以上のユニットとファンとの間で適切な空気の流れをもたらす。或いは、そのような流体案内フード10は1つ以上のユニットからの熱気をそらすように使用されてもよい。同様に、素子又はファンに到る前に流通案内フードを先ず最初に経由して流れる空気は、ファンによりユニットから排気されてもよい。
【００１４】
図2は、本発明による流通案内フード10を使用するコンピュータ20又は他の電子装置15に関する概略断面図を示す。冷却することを要するコンピュータの2つのユニット14とファン13とが断面図に示されている。流通案内フード10は、コンピュータ20の内部に組み込まれており、メイン流通路7を制限又は規定し、図中の矢印による流れのパターンから分かるように、冷却されるべきユニット14に近い領域での空気の流れを強めている。
【００１５】
流通案内フード10は、例えば金属板のような第1の材料11により形成される第1の流通案内要素1と、例えば発泡材料のような第2の材料12により形成される少なくとも1つの第2の流通案内要素2とを有する。第2の流通案内要素2は、例えば、第1の流通案内要素1の中間部分における上面(最上位に位置して下側を向いている面)に結合される。第1の流通案内要素1の横並びの側壁(群)及び高さにより、紙面内及び紙面に垂直な方向におけるメイン流通路7に利用可能な体積が規定される。第2の流通案内要素は、例えば、ブロック形状の構造であってもよいし、或いは平坦部による他の仕方で規定されてもよいし、流通路7を更に限定してもよい。その結果、ユニット14の近傍において、空気の流速は更に速くなる。本願で説明される流通案内フードは、非常に簡易に製造することが可能であり、プラスチック材料で射出成形により1個の部品として形成する場合よりも安価であり、かつ基本形状は最も簡易であるにもかかわらず、流れのパターンを最適化することが可能であり、例えば、第1及び/又は第2の形状のパーツによる傾斜した境界面により、或いは立体的な材料により形成される特定の第2の形状のパーツの湾曲面により最適化することが可能である。
【００１６】
上記の方法に基づいて、第1及び第2の流通案内要素の形状を整え、第2の材料12により形成される追加的な流通案内要素2を追加することにより、流れのパターンを更に最適化することが可能である。
【符号の説明】
【００１７】
1  第1の流通案内要素
2；2，2b  第2の流通案内要素
3  平坦セグメント
4  直線状縁部
5  第1表面
6  平坦な表面
7  メイン流通路
8；8a；8b  パート流通路
10  流通案内フード
11  第1の材料
12  第2の材料
13  ファン
14  ユニット
15  電子装置
20  コンピュータ
【図１】
2014531136.tif 000003
【図２】
2014531136.tif 000004
【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
コンピュータ又は他の電子装置における空気の流れを案内する流通案内フードであって、複数の個別的なパーツにより形成され、第１の流通案内要素及び少なくとも１つの第２の流通案内要素を有し、
前記第１の流通案内要素は、平坦な第１の材料により形成され、前記流れの流通を案内する流通路を形成し、
前記少なくとも１つの第２の流通案内要素は、前記第１の材料とは異なる第２の材料により形成され、前記流れの流通を案内するように機能し、及び前記第１の流通案内要素に設けられている、流通案内フード。  
【請求項２】
前記第２の流通案内要素は、発泡プラスチック材料による軽量材料で形成されている、請求項１に記載の流通案内フード。
【請求項３】
前記第２の流通案内要素は、平坦な表面により支配的に規定されるように、切断、パンチ又は他の加工方式により形成される、請求項１又は２に記載の流通案内フード。
【請求項４】
前記第２の流通案内要素の各々は１つ以上の平坦な表面を有し、前記１つ以上の平坦部の全面が前記第１の流通案内要素に接着により取り付けられている、請求項１〜３のうち何れか１項に記載の流通案内フード。
【請求項５】
前記第１の流通案内要素はパンチ加工により形成されたパーツである、請求項４に記載の流通案内フード。
【請求項６】
前記第１の流通案内要素は、複数の平坦なセグメントに分割されるように形成され、
前記第１の流通案内要素の異なる平坦なセグメントが、異なる方向を向いており、屈曲部、折り畳み部、穿孔若しくはパンチにより又は直線状の縁部により、互いに区切られている、請求項５に記載の流通案内フード。
【請求項７】
前記第１の流通案内要素は、第１の表面においてメイン流通路を規定するように形成され、
前記少なくとも１つの第２の流通案内要素は、前記第１の流通案内要素の前記第１の表面に取り付けられている、請求項６に記載の流通案内フード。
【請求項８】
前記少なくとも１つの第２の流通案内要素は、メイン流通路を複数のパート流通路に制限、局所的に規定又は分割するように、前記第１の流通案内要素のうちの同じ面に設けられている、請求項７に記載の流通案内フード。
【国際調査報告】
2014531136.tif 000005
2014531136.tif 000006
2014531136.tif 000007
2014531136.tif 000008
2014531136.tif 000009
2014531136.tif 000010